(57)【要約】      （修正有）【課題】使用者の足裏長の個人差に対応し、足裏のツボを的確に押圧することができる足裏ツボ押圧器具を提供する。【解決手段】足ツボ押圧器具１は、５〜１５ｍｍの厚みを有し、足裏長より短い縦幅寸法とされた基板２と、基板上に設けた、右足及び左足のツボを各々押圧するツボ押圧突起３とを備え、基板に、一方端−他方端の方向に位置を異ならせた複数の踵の縁部を載置する基準線４を設けた。【選択図】図１
0003201357.tif 000002
【実用新案登録請求の範囲】
【請求項１】
５〜１５ｍｍの厚みを有し、足裏長より短い縦幅寸法とされた基板と、この基板上に設けた、右足及び左足のツボを各々押圧するツボ押圧突起とを備え、前記基板において、一方端−他方端の方向に位置を異ならせた複数の踵の縁部を載置する基準線を設けたことを特徴とする足裏ツボ押圧器具。
【請求項２】
基板上の、ツボ押圧突起から離間した一部に、足裏の複数のツボのうち１箇所だけを押圧するためのポイント押圧突起を設けたことを特徴とする請求項１記載の足裏ツボ押圧器具。
【請求項３】
ツボ押圧突起は、基板の幅方向中央を対称軸として右足用、左足用に設けられ、該基板の一方端部に先端部突起と、先端部突起を設けた位置から他方端部方向までの途中位置で前記基板の幅方向中央寄りに設けた中央突起と、この中央突起から前記基板の外側へ向けて設けた外側突起と、で構成されることを特徴とする請求項１又は２記載の足裏ツボ押圧器具。
【考案の詳細な説明】
【技術分野】
【０００１】
本考案は、足のつま先から踵までの長さに対応して的確に所定ツボを押圧することができる足裏ツボ押圧器具に関するものである。
【背景技術】
【０００２】
足裏には健康に作用するツボが多数存在する。人体の健康と足裏のツボとの関連性が解明されてきた昨今では、個人が足裏のツボを簡便に押圧することができる器具が多数存在している。
【０００３】
例えば、特許文献１には、使用者の姿勢の悪い癖を矯正しつつ足裏のツボを押圧するために、両足の足型台座と基台をばねを介して結合することにより、使用者が足型台座の上で踏む動作をするとき、足底をマッサージする効果が得られるようにした足底マッサージ器が提案されている。
【０００４】
しかしながら、従来のこの種の足裏ツボ押圧器具は、上記特許文献１で言う足型台座にの面積が一定であったため、使用者の足裏サイズに応じた適切なツボの押圧ができなかった。つまり、足を載せる台座の面積が一定であると、自ずとその台座上面に突設されたツボ押圧突起も位置も固定されることとなる。
【０００５】
したがって従来の足裏ツボ押圧器具は、台座の面積とツボ押圧突起の位置が固定されていることにより、つま先から踵までの長さ（以下、「足裏長」という）が、固定された台座に対して千差万別の使用者のそれに対応しないことに起因して、適切かつ効果的に足裏のツボを押圧できないという問題があった。
【先行技術文献】
【特許文献】
【０００６】
【特許文献１】実用新案登録第３１０９８３１号公報
【考案の概要】
【考案が解決しようとする課題】
【０００７】
解決しようとする問題は、従来の足裏ツボ押圧器具は、使用者の足裏長の個人差に対応する構造ではないので、足裏のツボを的確に押圧することができなかった点である。
【課題を解決するための手段】
【０００８】
上記問題を解決するために、本考案は、５〜１５ｍｍの厚みを有し、足裏長より短い縦幅寸法とされた基板と、この基板上に設けた、右足及び左足のツボを各々押圧するツボ押圧突起とを備え、前記基板において、踵の縁部を載置する複数の基準線を一方端−他方端の方向に位置を異ならせて設けたことを最も主要な特徴とする。
【考案の効果】
【０００９】
本考案の足裏ツボ押圧器具は、基板の厚みを５〜１５ｍｍの厚みを有し、足裏長より短い縦幅寸法とすることで、過度に体重をかけなくても基板上に足裏における必要部位を載せるだけで、基板上に載置された部分とはみ出す部分との高低差が生じ、良好な押圧力を生じさせることができる。
【００１０】
また、本考案の足裏ツボ押圧器具は、一方端−他方端の方向に位置を異ならせた複数の基準線を設けることで、使用者毎に異なる足裏長に対応させることができ、ツボ押圧突起を的確に使用者の足裏のツボに接触させて押圧することができる。
【図面の簡単な説明】
【００１１】
【図１】本考案の足裏ツボ押圧器具を示し、（ａ）は平面図、（ｂ）は斜視図である。
【図２】本考案の足裏ツボ押圧器具の使用状況を示し、（ａ）は斜視図、（ｂ）は足裏長が異なっても同位置のツボを押圧できることを説明するための側面図、である。
【図３】本考案の足裏ツボ押圧器具のポイント押圧突起の使用状況を説明するための平面図である。
【考案を実施するための形態】
【００１２】
本考案は、使用者毎に異なる足裏長に対応して足裏のツボを適切に押圧するという目的を、５〜１５ｍｍの厚みを有し、足裏長より短い縦幅寸法とされた基板と、この基板上に設けた、右足及び左足のツボを各々押圧するツボ押圧突起とを備え、前記基板において、一方端−他方端の方向に位置を異ならせた複数の踵の縁部を載置する基準線を設けることで達成した。
【００１３】
また、本考案は、上記構成において、基板上のツボ押圧突起から離間した隅部に、足裏の複数のツボのうち１箇所だけを押圧するためのポイント押圧突起を設ける構成とすれば、ポイント押圧突起に足裏のツボを合わせて基板に足を乗せるだけで当該ツボをピンポイントで押圧することができる。
【００１４】
さらに、本考案は、上記構成において、ツボ押圧突起を、基板の幅方向中央を対称軸として右足用、左足用に設けられ、該基板の一方端部に先端部突起と、先端部突起を設けた位置から他方端部方向までの途中位置で前記基板の幅方向中央寄りに設けた中央突起と、この中央突起から前記基板の外側へ向けて設けた外側突起と、で構成することで、特定疾患に対するツボを押圧することができる。
【実施例】
【００１５】
以下、図１〜図３を参照して本考案の足裏ツボ押圧器具について説明する。本考案の足裏ツボ押圧器具１は、基本構成として、５〜１５ｍｍの厚みを有する基板２と、この基板２上に設けた、右足及び左足のツボを各々押圧するツボ押圧突起３とを備え、基板２において、一方端−他方端の方向に位置を異ならせた複数の踵の縁部を載置する例えば本例では３本の基準線４Ａ，４Ｂ，４Ｃ（総称するときは基準線４という）を設けている。
【００１６】
基板２は、材質は限定しないが、上記のとおり厚みは５〜１５ｍｍ程度とし、また、一方端から後述基準線４までの縦寸法は例えば本例の場合は、足裏長を２２〜２５ｃｍとした場合には、足裏全体が載ることのない、つまり基準線４に踵を合わせて足を載せたときにつま先部分が基板２からはみ出すような長さとしている。基板２の横幅方向は両足が載置できる程度の寸法であれば特に条件はない。
【００１７】
基板２の厚みを５〜１５ｍｍとした理由は、使用者自身の体重を最大限に効率よく利用するためである。すなわち、まず、基板２は、図２（ｂ）に示すように、基準線４に踵を合わせて足を載せたときにつま先部分が基板２からはみ出すように設定しているが、このとき、５〜１５ｍｍの高低差により足の荷重がよりツボ押圧突起３に足裏のツボを強く押圧することができる。
【００１８】
基板２の厚みが、５ｍｍより低いと押圧力が低下し、１５ｍｍより高いと基板２からはみ出した足が該基板２の載置面に接触しにくく、該基板２上において足を載せた使用者が不安定となる可能性がある。
【００１９】
ツボ押圧突起３は、図示するように、本例の場合、右足用、左足用に、基板２の幅方向中央を対称軸として左右対称に配置とされており、本例では、先端部突起３Ａ、中央突起３Ｂ、外側突起３Ｃに分けている。
【００２０】
先端部突起３Ａは、一方端（基準線４を設けていない側）を足先として、該足先部位に、頭頂部が断面円形とされた円錐状で底面径が１ｃｍとされ、幅方向中央寄りに左右足用の各々に、それぞれ４個矩形状に配置されている。
【００２１】
中央突起３Ｂは、先端部突起３Ａを設けた位置から（踵：基準線４方向の）他方端部方向までの途中位置で基板２の幅方向中央寄りに設けており、頭頂部が断面円形とされた円錐状で底面径が２ｃｍとされると共に先端部突起３Ａよりも高さが若干高くされ、幅方向中央に左右足用の各々に、それぞれ１個配置されている。
【００２２】
外側突起３Ｃは、頭頂部が断面円形とされた円錐状で底面径が１ｃｍとされ、中央突起３Ｂと先端部突起３Ａとの間に１個が、また、該先端部突起３Ａの幅方向に２個並んだ中央位置から外側へ２列で基準線４方向へ３行の６個が、左右足用の各々にそれぞれ総合計７個設けられている。
【００２３】
また、基板２上のツボ押圧突起３（先端部突起３Ａ、中央突起３Ｂ、外側突起３Ｃ）から離間した一部、本例では、該基板２の他方端部における幅方向中央に、足裏の複数のツボのうち１箇所だけを押圧するためのポイント押圧突起３Ｄが設けられている。
【００２４】
基準線４は、基板２の他方端部において、右足用、左足用に各々の踵の縁部を載置するための線であり、一方端−他方端の方向に位置を異ならせて複数設けている。本例では、例えば、０．５ｃｍ間隔でつま先方向から基準線４Ａ，４Ｂ，４Ｃの３本を設けている。
【００２５】
このようにすることで、図２に示すように、足裏長に幅広く対応可能となり、基準線４に踵を合わせることで適切な位置に足裏のツボを位置させることができ、また、基板２と該基板２の載置面との高低差により確実に足裏のツボを押圧することができる。また、ポイント押圧突起３Ｄを設けることで、図３に示すように、一点だけの足裏ツボを押圧することもでき、使い勝手が向上する。
【００２６】
本考案の足裏ツボ押圧器具１は、上記のように、専門職に押圧してもらうのではなく、使用者の足の荷重や踏みつける力による独力で足裏ツボを押圧するものであるため、気軽に自分の時間が空いているときに押圧が可能という利点がある。
【００２７】
なお、ツボ押圧突起３の配列構成は、本例では、上記（図示）のとおりとしたが、押圧するツボは足裏に多数あると共に、その押圧の順番等も多数存在するため、その目的に沿って配置すればよく限定するものではないが、上記（図示）のようにして一定の順序で押圧することで特定の疾患に効果があることは確認している。
【符号の説明】
【００２８】
１  足裏ツボ押圧器具
２  基板
３  ツボ押押圧突起
３Ａ  先端部突起３Ａ
３Ｂ  中央突起
３Ｃ  外側突起
３Ｄ  ポイント押圧突起
４  基準線
４Ａ  基準線
４Ｂ  基準線
４Ｃ  基準線
【図１】
0003201357.tif 000003
【図２】
0003201357.tif 000004
【図３】
0003201357.tif 000005